(57)【特許請求の範囲】
【請求項１】
耐水性と柔軟性を有する基材の表面に水を保持するための凹凸を有する被膜を設け、前記被膜が可撓性を有し、前記被膜が、前記基材に接着され、前記基材または／および前記被膜が含水率５％以下の材料からなり、前記基材の表面にシリカがアクリルに重合されたアクリルーコロイダルシリカ重合樹脂を被覆して前記基材の表面に凹凸を有する前記被膜を設ける加湿フィルタ。
【請求項２】
基材の熱変形温度が１００℃より高い請求項１に記載の加湿フィルタ。
【請求項３】
基材が合成樹脂から構成される請求項１または２に記載の加湿フィルタ。
【請求項４】
合成樹脂がポリエステル、ナイロン、アクリル、ポリプロピレンのうち一種類以上を含む請求項３記載の加湿フィルタ。
【請求項５】
基材がダブルラッセル編地である請求項１乃至４いずれかに記載の加湿フィルタ。
【請求項６】
抗菌剤または／および防カビ剤を含む請求項１乃至５いずれかに記載の加湿フィルタ。
【請求項７】
請求項１乃至６いずれかに記載の加湿フィルタと、貯水部と、前記貯水部から水を得て前記加湿フィルタに水を供給するための水供給手段と、前記加湿フィルタに空気を送るための送風手段を備える加湿装置。
【請求項８】
加湿フィルタに持ち手を設けた請求項７記載の加湿装置。
【請求項９】
加湿フィルタを、変形防止枠で固定することを特徴とする請求項７または８記載の加湿装置。
【請求項１０】
加湿フィルタおよび変形防止枠にガイドを設けた請求項９記載の加湿装置。
【請求項１１】
加湿フィルタの変形防止枠が弾性体である請求項９乃至１０いずれかに記載の加湿装置。
【請求項１２】
加湿運転終了後に、排水または／および送風を行うことにより加湿フィルタに付着した水を除去する請求項７乃至１１いずれかに記載の加湿装置。
【発明の詳細な説明】
【技術分野】
【０００１】
本発明は、加湿フィルタおよびそれを利用する加湿装置などに関する。
【背景技術】
【０００２】
従来、この種の加湿フィルタには、ポリエステル樹脂にて被覆されたポリエステル繊維シートからなるものもある（例えば、特許文献参照）。
【０００３】
以下、その加湿フィルタについて図９を参照しながら説明する。
【０００４】
図９に示すように、加湿フィルタ１０１は親水性ポリエステル樹脂にて被覆されたポリエステル繊維シートからなり、一方の面から他の面に貫通する多数の連続気孔１０２を有している。また、この加湿フィルタ１０１は、気孔率が４０〜９０％、吸水率が４０％以上、水滴吸収性が３秒以内で、曲げ強度が３０ｋｇｆ／ｃｍ2以上であることを特徴とする。
【特許文献１】特開平７−２９９８９３号公報
【発明の開示】
【発明が解決しようとする課題】
【０００５】
このような従来の加湿フィルタは、親水性ポリエステル樹脂にて被覆された繊維シートを成形してなるが、加湿性能を維持するためには、使用にともなって析出するスケールなどの汚れを洗浄作業等によって除去する必要がある。しかしながら、従来の加湿フィルタでは吸水率が高いために、繊維シートの内部まで水と汚れが入り込みやすく、洗浄作業を行っても十分に汚れを落とすことができなかった。また、吸水率が高いためにフィルタが常に湿った状態となり、カビや雑菌が繁殖しやすく汚れやすいという課題を有していた。さらに、洗浄後に元の形状に戻ることができなければ、加湿フィルタを洗浄することはできないが、従来の加湿フィルタでは形状安定性の保持に関して言及されておらず、洗浄可能で耐久性の高い加湿フィルタが望まれていた。
【０００６】
本発明は、このような従来の課題を解決するものであり、洗浄が可能であり、形状安定性を備えた、耐久性の高い加湿フィルタを提供することを目的としている。
【課題を解決するための手段】
【０００７】
本発明の加湿フィルタは、上記目的を達成するために、耐水性と柔軟性を有する基材の表面に、水を保持するための凹凸を有する被膜を設けた加湿フィルタにおいて、被膜が可撓性を有し、前記被膜が、前記基材に接着され、前記基材または／および前記被膜が含水率５％以下の材料からなり、前記基材の表面にシリカがアクリルに重合されたアクリルーコロイダルシリカ重合樹脂を被覆して前記基材の表面に凹凸を有する前記被膜を設けることを特徴とするものである。
【０００８】
また、上記の加湿フィルタと、貯水部と、この貯水部から水を得て加湿フィルタに水を供給するための水供給手段と、加湿フィルタに空気を送るための送風手段を備える加湿装置としたものである。
【発明の効果】
【０００９】
本発明によれば、基材の表面に設けた被膜は、シリカがアクリルに重合されたアクリルーコロイダルシリカ重合樹脂によって形成されており、可撓性を有し、基材の表面に凹凸を有する被膜を設ける手段として、シリカがアクリルに重合されたアクリルーコロイダルシリカ重合樹脂を被覆した場合には、アクリルに重合されたシリカによってアクリル樹脂の被膜中に貫通孔が生じる効果を利用することができ、被膜が水を保持するための凹凸を有し、被膜が可撓性を有し、洗浄が可能であり、形状安定性を備えた、耐久性の高い加湿フィルタを提供することができる。また、この凹凸で保水した加湿フィルタに空気を流せば、凹凸に広く保持された水が揮発して効率良く加湿される。また、シリカ成分により、アクリル樹脂の被膜にも凹凸が形成し、また、被膜が可撓性を有し、基材に接着されているために、加湿フィルタ表面に付着した汚れを剥がしとるための洗浄作業や、加湿時や収納時の変形に対しても、被膜が脱落せず、洗浄が可能であり、形状安定性を備えた、耐久性の高い加湿フィルタを提供することができる。また、基材の表面に設けた水を保持するための凹凸を有する被膜が、洗浄時の磨耗から基材を保護するために、より耐久性の高い加湿フィルタを得ることができる。また、本発明の加湿フィルタを備えた加湿装置を提供することができる。
【発明を実施するための最良の形態】
【００１０】
本発明の加湿フィルタは、耐水性と柔軟性を有する基材の表面に、水を保持するための凹凸を有する被膜を設け、その被膜が可撓性を有し、前記被膜が、前記基材に接着され、前記基材または／および前記被膜が含水率５％以下の材料からなり、前記基材の表面にシリカがアクリルに重合されたアクリルーコロイダルシリカ重合樹脂を被覆して前記基材の表面に凹凸を有する前記被膜を設けることを特徴とするものである。基材の表面に設けた被膜は、アクリルーコロイダルシリカ重合樹脂によって形成されており、可撓性を有している。シリカがアクリルに重合されたアクリルーコロイダルシリカ重合樹脂を被覆した場合には、アクリルに重合されたシリカによってアクリル樹脂の被膜中に貫通孔が生じる効果を利用することができる。また、シリカ成分により、アクリル樹脂の被膜にも凹凸が形成する。ここで可撓性とは、柔軟性があり力を加えるとたわんで変形するが、力を取り除くと元の形状にもどる性質を言う。このとき、被膜全体が弾性を備える必要はなく、上記の性質を備えていれば弾性体と非弾性体の混合物であってもよい。また、被膜の一部に亀裂が発生していてもよい。本発明の加湿フィルタは、基材が耐水性を有するために、汚れが付着した加湿フィルタを水または洗剤で洗浄することができ、加湿フィルタを長期間にわたって使用することができる。また、基材が柔軟性を有するために、応力が働いた場合にも破損することがなく、もみ洗い、たたき洗いなど、加湿フィルタ表面に付着した汚れを剥がし取るための洗浄作業の際に一時的に変形させても、加湿フィルタとして使用する時には元の形にもどすことができる。また、基材の表面に設けた水を保持するための凹凸を有する被膜が、洗浄時の磨耗から基材を保護するために、より耐久性の高い加湿フィルタを得ることができる。また、加湿フィルタの表面に微細な凹凸を形成することにより、加湿フィルタに水を与えた場合には、凹凸への物理的作用による水膜の形成によって広く水を保持できる。また、保水した加湿フィルタに空気を流せば、凹凸に広く保持された水が揮発して加湿されるという作用を有し、高い加湿性能が得られる。
【００１１】
基材の表面に設けた被膜が可撓性を有し、前記基材に接着されていることを特徴とするものである。被膜が可撓性を有し、基材に接着されているために、加湿フィルタ表面に付着した汚れを剥がしとるための洗浄作業や、加湿時や収納時の変形に対しても、被膜が脱落しない。
【００１２】
また、基材または／および被膜が含水率５％以下の材料からなることを特徴とするものであり、含水率が低いために、基材または被膜の内部には水と汚れが入り込まず、表面にのみ付着するので、洗浄作業が容易である。また、含水率が低いために、脱水が容易で、洗浄後にフィルタを素早く乾燥させることができる。また、加湿フィルタを使用しないときにフィルタの乾燥が速いため、カビや雑菌が繁殖しにくい加湿フィルタを得ることができる。
【００１３】
また、基材の熱変形温度が１００℃より高いことを特徴とするものであり、洗浄作業時や加湿時に湯を用いた場合でも変形することがなく、長期間にわたって使用と洗浄を繰り返しても加湿フィルタが変形せず、加湿性能を維持することができる。
【００１４】
基材が合成樹脂から構成されることを特徴とするものであり、綿や絹などの天然材料に比べ、優れた耐久性が得られるために、たとえば家庭用電気洗濯機などで洗った場合や、使用者がこすり洗いを行った場合にも変質や変形、収縮を起こしにくく、洗浄性が向上する。
【００１５】
基材がポリエステル、ナイロン、アクリル、ポリプロピレンのうち一種類以上を含むものであり、合成樹脂の中でも優れた耐水性と柔軟性を有するために、洗浄可能な加湿フィルタとすることができる。また、含水率が低いために、基材または／および被膜の内部には水と汚れが入り込まず、表面にのみ付着するので、洗浄作業が容易である。
【００１６】
基材がダブルラッセル編地であることを特徴とするものであり、表面と裏面と、それを連結する繊維が可動であるために、使用と洗浄を繰り返し、変形しても、形状を元に戻すことができるという効果が得られる。また、基材の表面と裏面を連結する繊維が、それらを多数の点で留めているため、一部の繊維が破断しても基材全体の形状が変形しにくく、形状安定性および耐摩耗性に優れた加湿フィルタを得ることができる。
【００１８】
バインダが樹脂塗料であることを特徴とするものであり、塗料中に溶解または分散した樹脂が乾燥する際に、基材と樹脂の化学的な結合による接着力に加えて、物理的な被膜により基材全体を包み込むように樹脂が結合するため、基材の表面に被膜をより強固に固定化することができる。また、樹脂の種類を選択することにより、基材の柔軟性を維持したまま添着材を固定化することも容易である。
【００２０】
加湿フィルタが抗菌剤または／および防カビ剤を含むものであり、加湿フィルタにおける菌やカビの繁殖を抑制することにより、加湿フィルタを清潔に保つことができる。
【００２１】
また、本発明の加湿装置は、請求項１乃至６いずれかに記載の加湿フィルタと、貯水部と、水供給手段と、送風手段を備えるものであり、使用と洗浄の繰り返しに対し、耐久性の高い加湿フィルタを備えた加湿装置を提供することができる。
【００２２】
加湿フィルタに持ち手を設けたものであり、加湿フィルタを加湿装置に設置したり、枠に設置したり、洗浄後に吊るし干しをしたりする際に、持ち手を設けておくことにより、使用者がそれを容易に認識することができ、加湿フィルタの主要部に触れることを防止することができるために、加湿フィルタの変形や変質による加湿性能の低下を抑制することができる。
【００２３】
加湿フィルタを、変形防止枠で固定することを特徴とするものであり、加湿装置に設置した際に高い形状自由度を有する加湿フィルタの変形を防止することができる。これにより、加湿フィルタに空気を通過させ、応力が発生した場合にも、変形による空気漏れが生じず、安定した加湿性能を得ることができる。
【００２４】
加湿フィルタおよび変形防止枠にガイドを設けたものであり、加湿フィルタを枠に設置する際のひっかかりなどによる編地の破損を防止することができる。また、枠を加湿フィルタの内部に挿入する場合には、枠と加湿フィルタの間に発生する摩擦を低減することによっても加湿フィルタの破損を防止することができる。
【００２５】
加湿フィルタの変形防止枠が弾性体であることを特徴とするものであり、高い形状自由度を有する加湿フィルタが、つねに張った状態で維持され、形状を固定することができる。これにより、加湿フィルタに空気を通過させ、応力が発生した場合にも、変形による空気漏れが生じず、安定した加湿性能を得ることができる。
【００２６】
加湿運転終了後に、排水または／および送風を行うことにより加湿フィルタに付着した水を除去することを特徴とするものであり、加湿フィルタの基材が加水分解などによって劣化することを防止することができる。また、加湿フィルタ上における菌やカビなどの繁殖を抑制することができる。
【００２７】
以下、本発明の実施の形態について図面を参照しながら説明する。
【００２８】
（実施の形態１）
図１に示すダブルラッセル編地を基材１１とする加湿フィルタ１２は、図２にその拡大断面図を示すように、基材１１としての編地を構成する繊維の表面に水を保持するための凹凸１３を有する被膜１４を設けたものである。被膜１４は、基材を保護している。また、基材１１はポリエステルからなり、その含水率は０．４％、熱変形温度は２３０℃である。また、基材１１の表面に設けた被膜１４は、アクリルーコロイダルシリカ重合樹脂によって形成されており、可撓性を有している。基材がダブルラッセル編地であるため、優れた圧縮応力（５０％の厚みまで圧縮したときの反発力）を有するが、被膜によりその表面を保護することにより、基材に対し約３倍の圧縮応力を得ることができる。アクリルーコロイダルシリカ重合樹脂の被膜は、重合度によってその性質は異なるが、たとえば該樹脂を被膜としたときの含水率３％、熱変形温度４００℃を超えるものがある。
【００２９】
耐水性と柔軟性を有するポリエステルで構成される基材１１の表面に、水を保持するための凹凸１３を有する被膜１４を設けた加湿フィルタ１２は、被膜１４が洗浄時の磨耗から基材１１を保護するために、より耐久性の高い加湿フィルタ１２を得ることができる。基材１１が耐水性を有するために、ポリエステルの内部には水と汚れが入り込まず、表面にのみ付着するので、洗浄作業が容易である。また、基材１１が柔軟性を有するために、応力が働いた場合にも破損することがなく、もみ洗い、たたき洗いなど、加湿フィルタ１２表面に付着した汚れを剥がし取るための洗浄作業の際に一時的に変形させても、加湿フィルタ１２として使用する時には元の形にもどすことができる。
【００３０】
さらに、基材１１の表面に設けた凹凸１３を有する被膜１４が可撓性を有し、基材１１に接着されていれば、加湿フィルタ１２表面に付着した汚れを剥がしとるための洗浄作業や、加湿時の変形に対しても、被膜が脱落しない。凹凸１３を有する被膜１４により、加湿フィルタ１２に水を与えた場合、凹凸１３への物理的作用による水膜の形成によって、加湿フィルタ１２は水を保持することができる。また、この凹凸１３で保水した加湿フィルタ１２に空気を流せば、凹凸１３に広く保持された水が揮発して効率良く加湿される。基材１１の表面に凹凸１３を有する被膜１４を設ける手段として、アクリルーコロイダルシリカ重合樹脂を被覆した場合には、アクリルに重合されたシリカによってアクリル樹脂の被膜中に貫通孔が生じる効果を利用することができる。また、シリカ成分により、アクリル樹脂の被膜にも凹凸が形成する。アクリルーコロイダルシリカ重合樹脂の被覆方法としては、アクリルーコロイダルシリカ重合樹脂を界面活性剤とともに水中に分散させてエマルジョンとし、それを基材表面に塗布する方法がある。
【００３１】
加湿フィルタ１２の基材１１または被膜１４を構成する材料としては、合成樹脂としての、ポリエステル、アクリル、ナイロン、ビニロン、ポリプロピレン、ポリ塩化ビニル、ポリエチレン、ポリウレタン、アセテート、再生繊維としてのキュプラ、レーヨン、天然繊維としての絹、毛、綿、麻、パルプ、その他、ガラス繊維や金属繊維、アラミド繊維など、各種を用いることができる。このなかでも、合成樹脂繊維であるポリエステル、ナイロン、アクリル、ポリプロピレンのうち、一種類以上を用いれば、加湿フィルタ１２を容易に変形、成形できたりするうえに安価で、耐久性にも優れる加湿フィルタが得られる。
【００３２】
また、基材１１または被膜１４の含水率が５％以下であれば、基材１１や被膜１４の内部には水が入り込まず、同時に汚れが入り込まず、表面にのみ付着するので、汚れの除去作業が容易である。合成樹脂であるポリエステルの含水率は０．４％、ナイロン４．５％、アクリル２．０％、ポリプロピレンは０％である。また、基材１１または被膜１４の熱変形温度が１００℃より高ければ、洗浄作業時や加湿時に湯を用いた場合でも変形することがなく、長期間にわたって使用と洗浄を繰り返しても加湿フィルタ１２が変形せず、加湿性能を維持することができる。湯を使用して加湿フィルタ１２を洗浄した場合には、塩分の溶解度が上昇するため付着したスケール成分の除去が容易である。また、高温下にさらすことにより、加湿フィルタの滅菌効果も期待できる。ポリエステルの熱変形温度は２３０℃、ナイロンは１８０℃、アクリルは１９０℃、ポリプロピレンは１４０℃である。これらの材料を基材１１や被膜１４に用いることが好ましい。
【００３３】
加湿フィルタ１２の基材１１がダブルラッセル編地であれば、表面と裏面と、それを連結する繊維が可動であり、高い形状自由度を得ることができる。ダブルラッセル編地を構成する繊維は、表面、裏面、それらを連結する部位にわけられるが、それぞれを異なる材料で構成することもできるし、同一部位であっても、異なる繊維を引き合わせて編むことにより、繊維を複合化しても良い。また、各々の繊維には、ツイスト加工やクリンプ加工を施しても良い。このとき、表面と裏面の間隔、すなわち編地の厚みが同じであっても、まっすぐな繊維で連結する場合に比べて、繊維がちぢれていたり、ひねったりされていれば、連結繊維の長さが伸びる分、保水面積が増大する。同時に、通過する空気との接触面積も増大し、同じ体積の加湿フィルタ１２であっても、加湿効率を向上させることができる。
【００３４】
また、加湿フィルタ１２が、抗菌剤または／および防カビ剤を含んでいれば、加湿フィルタ１２の表面における微生物の繁殖を抑制することができる。抗菌剤としては、銀・銅・亜鉛などの金属イオンを溶出するもの、それらの金属粒子や、銀ゼオライト、銀含有リン酸ジルコニウム、ヨウ素化合物類、フェノール類、第４級アンモニウム塩類、イミダゾール化合物類、安息香酸類、過酸化水素、クレゾール、クロルヘキシジン、イルガサン、アルデヒド類、ソルビン酸類等の薬剤や、リゾチーム、セルラーゼ、プロテアーゼ等の酵素製剤、カテキン類、竹抽出物、ヒノキ抽出物、わさび抽出物、からし抽出物等の天然成分抽出物などがある。また、防カビ剤としては、有機窒素化合物、硫黄系化合物、有機酸エステル類、有機ヨウ素系イミダゾール化合物、ベンザゾール化合物等も有効である。これらの成分を、編地を構成する繊維に練りこんでも良いし、編地を形成した後に塗布して含ませても良い。また、抗菌剤や防カビ剤は加湿フィルタへの着色成分を含んでいても良い。たとえば、抗菌作用を有する植物性色素を用いて緑色に着色したフィルタは、水道水中に含まれるスケール成分が付着した際にも、その色の違いから、使用者が汚れを容易に認識でき、洗浄を促す効果を得ることができる。抗菌剤や防カビ剤の成分以外で加湿フィルタを着色した場合にも、汚れの認識効果を得ることができる。
【００３５】
（参考の形態１）
図３には、添着材３１をバインダ３２で固定化して基材３３の表面に凹凸を設けた、加湿フィルタの表面状態を示す。添着材３１として界面活性剤の吸着能を有する疎水性ゼオライトを、バインダ３２として水系樹脂塗料であるアクリル樹脂エマルジョンを用いている。このとき、添着材３１とバインダ３２が、基材３３の被膜である。添着材３１は固体無機粒子であるため非弾性体となるが、バインダ３２に柔軟性と伸縮性を備えた弾性体である樹脂を用いることによって、可撓性を有する被膜とすることができる。ここで各添着材は、互いに接触しないように適当な間隔を置いて分散して存在させたほうがよく、添着材同士の隙間によって多くの凹凸構造を得ることができる。なお、被膜の一部には亀裂が発生していてもよい。
【００３６】
添着材３１を接着して凹凸を設けるには、添着材３１のサイズや形状を選択すると良い。添着材３１粒子を重ねたり、並べたりすることによって凹凸のサイズは調整することができる。
【００３７】
また、添着材３１として、添着材３１が界面活性剤吸収剤、酸または塩基の中和剤のうち一種類以上を含めば、加湿フィルタが水中の不純物を除去する効果を持たせることができ、水を保持した加湿フィルタを空気が通過する際には、より清浄な加湿空気を供給することができる。界面活性剤吸収剤としては、疎水性ゼオライトなどがあり、酸または塩基の中和剤としては、ＨＥＰＥＳバッファー、トリスバッファー、などがある。また、これらの添着材が親水性を有する場合には、加湿フィルタに親水性を付与することができ、加湿フィルタの水なじみ性を向上することができる。
【００３８】
また、添着材３１は、細かい繊維であっても良い。たとえば綿の短繊維をバインダ３２を使って接着した場合などは、綿の有する吸水性により、加湿フィルタ全体への水の供給が容易になるなどの効果が得られる。また、添着材３１として金属粒子を用いても良い。その中でも、Ａｇ、Ｃｕ、Ｚｎは金属自身が抗菌性を有するため、加湿フィルタに抗菌性を付与することができる。また、二種類の異なる金属を用いれば、接点における電位差を利用して水中の微生物やイオン成分を誘引除去することができるという効果も得られる。
【００３９】
また、バインダ３２として使用する樹脂塗料は、有機溶剤に樹脂を溶解した塗料や、水中に樹脂粒子を分散させたエマルジョン、液状樹脂などがある。樹脂塗料を使用した場合には、塗料中に溶解または分散した樹脂が乾燥する際に、基材３３と樹脂の化学的な結合による接着力に加えて、物理的な被膜により基材３３全体を包み込むように樹脂が結合するため、基材３３の表面に被膜をより強固に固定化しながら、柔軟性を維持することができる。樹脂塗料としては、アクリル、アクリルーコロイダルシリカ重合樹脂、アクリルーシリコーン重合樹脂などのアクリルをベースにしたエマルジョンや、ウレタンをベースにしたエマルジョン、またはポリエステルを溶解した有機溶剤系塗料などが一般的であるが、樹脂の種類は、その柔軟性、耐久性、表面性質などの特性が異なるため、目的によって選択すれば良い。樹脂塗料が水系であれば、溶剤系の塗料使用時に比べ、環境への負荷が少なく、また、作業環境への影響を減らすことができるという効果が得られる。
【００４０】
（実施の形態２）
図４には、耐水性と柔軟性を有する基材の表面に水を保持するための凹凸を有する被膜を設け、円筒形状に成形した加湿フィルタ４１と、水受け皿４２と、貯水部としての貯水タンク４３と、水供給手段としての散水ノズル４４および送風手段としてのファン４５を備えた加湿装置を示す。散水ノズル４４は、貯水タンク４３に貯められた水を得て、加湿フィルタ４１の上部に散水を行う。加湿フィルタ４１は回転することにより、供給された水が全体に行き渡るようになっている。また、加湿フィルタ４１に保持されずに滴った余剰な水は、加湿フィルタ４１の下部に設置した水受け皿４２によって回収される。水が供給された加湿フィルタ４１に、ファン４５によって空気を流すことにより、加湿フィルタ４１を通過する空気に湿度が付与されるという仕組みである。加湿フィルタ４１の基材がダブルラッセル編地であり、洗浄時に変形させることができるために、運転の後に付着した汚れが浸け置き洗いでは落ちない頑固な汚れであっても、剥がし取ることができる。
【００４１】
加湿フィルタ４１の形状を円筒形状にする場合には、変形防止枠を設けても良い。また、円筒形状以外にも、編地を厚くしてブロック形状にしたり、薄い編地を重ねてブロック形状にしたりすれば、表面と裏面を連結する繊維に保水させ、表面から裏面に通風を行うと、通過空気が連結繊維表面から水分を奪って加湿することができる。また、図５に示すように、加湿フィルタ４１をキャタピラ状にして、その下端をつねに水受け皿４２に浸しながらふたつの回転軸４６をもって回転させれば、省スペースで加湿を行うことができるというメリットが得られる。
【００４２】
加湿運転終了後には、加湿フィルタ４１に付着した水を除去することにより、加湿フィルタ４１の基材が加水分解などによって劣化するのを防止することができる。また、加湿フィルタ４１上における菌やカビの繁殖を抑制することができる。加湿フィルタ４１に付着した水は、加湿フィルタ４１の回動を停止して送風を行うことにより乾燥させるのが良い。加湿フィルタ４１に付着した水を水受け皿４２にいったん排水し、さらに、加湿フィルタ４１下部の水受け皿も清潔に保つためには、水受け皿４２に排水機構を設けても良い。
【００４３】
（実施の形態３）
図６には、変形防止枠６１を設けた加湿フィルタ６２の一例を示す。加湿フィルタ６２を、変形防止枠６１に挿入する形となっており、図７に示すように、変形防止枠６１および加湿フィルタ６２には挿入ガイド６３および６４を設けている。また、加湿フィルタ６２には、持ち手６５を設けることにより、使用者がそれを容易に認識し、加湿フィルタ６２の主要部に触れることを防止する。
【００４４】
上記構成において、変形防止枠６１側に設置した挿入ガイド６３および加湿フィルタ６２側に設置した挿入ガイド６４を合わせて、スライドさせれば、挿入時の摩擦を低減することができ、ひっかかりなどによる破損や加湿フィルタ６２の変形などを防止することができる。加湿フィルタ６２側のガイド６４は、たとえば、フィルタ表面の一部を削ったり、圧着したりして設けることができる。また、変形防止枠６１側も加湿フィルタ６２側も、それぞれガイドは別部材を貼り付けて設けることもできる。
【００４５】
持ち手は、図６および図７に示すように、加湿フィルタ６２から飛び出した耳状のものでも良いし、加湿フィルタ６２の一部を凹ませたものでも良い。また、変形を防止するための枠６１は、加湿フィルタ６２の外枠であっても内枠であっても、もしくは加湿フィルタ６２の内部に差し込むようなものでもかまわない。
【００４６】
（実施の形態４）
図８には、変形防止枠８１が弾性を有するバネ形状である加湿フィルタ８２の一例を示す。加湿フィルタ８２は中空円筒形状をしており、その中空部には、バネ形状の変形防止枠８１が挿入されている。変形防止枠８１は、縮んだり張ったりするため、加湿フィルタ８２への挿入時には縮め、形状を決めてから張れば、柔軟な加湿フィルタ８２であっても、形状を固定することができる。
【産業上の利用可能性】
【００４７】
加湿効率が高く、かつ洗浄性および耐久性に優れる加湿フィルタを提供することができ、家庭用・業務用加湿機や、空調機、冷風扇などの用途にも適用できる。
【図面の簡単な説明】
【００４８】
【図１】本発明の実施の形態１の加湿フィルタを示す概略斜視図
【図２】同拡大断面図
【図３】参考の形態１の加湿フィルタの一部を示す概略断面図
【図４】本発明の実施の形態２の加湿装置を示す概略断面図
【図５】本発明の実施の形態２の別の加湿装置を示す概略断面図
【図６】本発明の実施の形態３の加湿フィルタを示す概略斜視図
【図７】本発明の実施の形態３の加湿フィルタを示す概略断面図
【図８】本発明の実施の形態４の加湿フィルタを示す概略斜視図
【図９】従来の加湿フィルタを示す概略斜視図
【符号の説明】
【００４９】
１１    基材
１２    加湿フィルタ
１３    凹凸
１４    被膜
３１    添着材
３２    バインダ
３３    基材
４１    加湿フィルタ
４２    水受け皿
４３    貯水タンク
４４    散水ノズル
４５    ファン
４６    回転軸
６１    変形防止枠
６２    加湿フィルタ
６３    挿入ガイド
６４    挿入ガイド
６５    持ち手
８１    変形防止枠
８２    加湿フィルタ
１０１  加湿フィルタ
１０２  連続気孔
【図１】
0005358944.tif 000002
【図２】
0005358944.tif 000003
【図３】
0005358944.tif 000004
【図４】
0005358944.tif 000005
【図５】
0005358944.tif 000006
【図６】
0005358944.tif 000007
【図７】
0005358944.tif 000008
【図８】
0005358944.tif 000009
【図９】
0005358944.tif 000010